(57)【要約】【課題】フレキソ版の厚さバラツキに対しても必要な引き抜け抗力を有してフレキソ版の外端部を狭持する。【解決手段】フレキソ版の周方向外端部を狭持する把持具は、外面がフレキソ版の内周面を受ける第１の狭持面をなすバイス本体と、その半径方向外側に配されかつ内面がフレキソ版の外周面を受ける第２の狭持面をなすブラケットと、ブラケットを貫通しかつバイス本体のネジ孔に螺入するボルト金具とからなる。ボルト金具は前記螺入により、前記第１、第２の狭持面間の間隔を調整できかつその間でフレキソ版を圧縮させて狭持させる。フレキソ版は、第１の狭持面の周方向外端縁を超えるはみ出し部を有する。【選択図】図３
2013223992.tif 000002
【特許請求の範囲】
【請求項１】
円筒状の版胴の外周面に巻き付けられるフレキソ版の周方向の少なくとも一方の外端部を狭持して前記版胴に固定する把持具を用いたフレキソ版の固定構造であって、
前記把持具は、
前記版胴の外周面に形成した取付け凹部に取り付けられ、かつ外面が前記フレキソ版の内周面を受ける第１の狭持面をなすとともに、該第１の狭持面上に位置決めピンを突出させたバイス本体と、
前記バイス本体の半径方向外側に配され、かつ内面が前記フレキソ版の外周面を受ける第２の狭持面をなすブラケットと、
前記ブラケットを貫通して半径方向内方にのびるネジ軸部を有し、このネジ軸部が前記バイス本体に設けるネジ孔に螺入することにより、前記第１、第２の狭持面間の間隔を調整できかつ該第１、第２の狭持面間で前記フレキソ版を圧縮させて狭持させるボルト金具とを具えるとともに、
前記フレキソ版の外端部には、前記位置決めピンが貫通して通る位置決め孔と、前記ネジ軸部が貫通して通るボルト挿通孔とが設けられ、
しかも前記フレキソ版に、前記第１の狭持面の周方向外端縁を超えて周方向外方側にはみ出さすはみ出し部を設けたことを特徴とするフレキソ版の固定構造。
【請求項２】
前記フレキソ版の外周面に凹み部が設けられ、かつ前記ブラケットの第２の狭持面に前記凹み部内に入る突起部が設けられるとともに、前記凹み部の内表面と突起部の外表面との間に、前記フレキソ版の圧縮時の歪みを吸収する歪吸収空隙部を形成したことを特徴とする請求項１記載のフレキソ版の固定構造。
【請求項３】
前記凹み部は、前記ボルト挿通孔の周方向両側に設けられることを特徴とする請求項２記載のフレキソ版の固定構造。
【請求項４】
請求項１〜３の何れかに記載のフレキソ版の固定構造を用いた固定方法であって、
前記ボルト金具の締め付けトルクを制御することにより、前記第１、第２の狭持面間で前記フレキソ版を所定の締め付け圧力で狭持させることを特徴とするフレキソ版の固定方法。
【発明の詳細な説明】
【技術分野】
【０００１】
本発明は、フレキソ版の厚さバラツキに影響を受けることなく、フレキソ版の周方向外端部を確実に狭持でき、フレキソ印刷の位置ずれ抑制を図りうるフレキソ版の固定構造、及びそれを用いた固定方法に関する。
【背景技術】
【０００２】
樹脂やゴム等の弾性材によって刷版を形成したフレキソ印刷が多用されている。このフレキソ印刷では、前記刷版（フレキソ版）が柔軟性に富むことから、紙、フィルムを始めとする種々な材質の被印刷体に容易に印刷することが可能であり、又他の印刷様式に比して低コストであることなどから広い分野で使用されている。
【０００３】
他方、フレキソ印刷では、版胴の周囲に巻き付けられるフレキソ版の周方向外端部を、図６に概念的に示す把持具ａを用いて固定している。具体的には、前記把持具ａは、円筒状の版胴ｂに取り付くバイス本体ａ１と、このバイス本体ａ１にボルト金具ａ２を介して一体固定されるブラケットａ３とを具える。前記ブラケットａ３は、前記バイス本体ａ１上にボルト固定される固定部ｃに、狭持板部ｄを突出させた断面Ｔ字状の剛性体であり、前記バイス本体ａ１の外面ａ１ｓと、狭持板部ｄの内面ｄｓとの間の間隙部ｅにて、前記フレキソ版Ｗの外端部を狭圧して保持している。
【０００４】
なお前記間隙部ｅの高さｈは、フレキソ版Ｗの厚さｔよりも小かつ先端に向かって漸減し、これによってフレキソ版Ｗの引き抜け方向への抗力を高めて位置ズレを抑制している。図中の符号ｆは、フレキソ版Ｗを貫通してのびる位置決めピンである。
【０００５】
しかしながら、前記把持具ａでは、前記間隙部ｅの高さｈを調整することができないため、前記フレキソ版Ｗの厚さバラツキによって、前記フレキソ版Ｗへの狭圧力、及び引き抜け抗力が変化してしまう。
【０００６】
そのため、フレキソ版Ｗの厚さが、前記間隙部ｅの高さｈに対して薄すぎる場合には、狭圧力が不足し、印刷時にフレキソ版Ｗが引き抜き方向（周方向）に位置ずれを起こして印刷精度を損ねる。逆にフレキソ版Ｗが厚すぎる場合には、狭持部での圧縮変形が過大となってフレキソ版Ｗに傷を招き、使用寿命を低下させるという問題が生じる。
【０００７】
なお下記の特許文献１には、狭持板部ｄの内面ｄｓに滑り止め加工を施すことが提案されている。しかしこのものも、間隙部ｅの高さｈが調整できないため、フレキソ版Ｗの厚さバラツキに対しては十分対応することが難しい。
【先行技術文献】
【特許文献】
【０００８】
【特許文献１】特開２００６−２４７８７２号公報
【発明の概要】
【発明が解決しようとする課題】
【０００９】
そこで本発明は、前記間隙部の高さを調整でき、フレキソ版の厚さバラツキに対しても必要な引き抜け抗力を有してフレキソ版の外端部を狭持しうるフレキソ版の固定構造、及びそれを用いた固定方法を提供することを目的としている。
【課題を解決するための手段】
【００１０】
上記課題を解決するために、本願請求項１の発明は、円筒状の版胴の外周面に巻き付けられるフレキソ版の周方向の少なくとも一方の外端部を狭持して前記版胴に固定する把持具を用いたフレキソ版の固定構造であって、
前記把持具は、
前記版胴の外周面に形成した取付け凹部に取り付けられ、かつ外面が前記フレキソ版の内周面を受ける第１の狭持面をなすとともに、該第１の狭持面上に位置決めピンを突出させたバイス本体と、
前記バイス本体の半径方向外側に配され、かつ内面が前記フレキソ版の外周面を受ける第２の狭持面をなすブラケットと、
前記ブラケットを貫通して半径方向内方にのびるネジ軸部を有し、このネジ軸部が前記バイス本体に設けるネジ孔に螺入することにより、前記第１、第２の狭持面間の間隔を調整できかつ該第１、第２の狭持面間で前記フレキソ版を圧縮させて狭持させるボルト金具とを具えるとともに、
前記フレキソ版の外端部には、前記位置決めピンが貫通して通る位置決め孔と、前記ネジ軸部が貫通して通るボルト挿通孔とが設けられ、
しかも前記フレキソ版に、前記第１の狭持面の周方向外端縁を超えて周方向外方側にはみ出さすはみ出し部を設けたことを特徴としている。
【００１１】
また請求項２では、前記フレキソ版の外周面に凹み部が設けられ、かつ前記ブラケットの第２の狭持面に前記凹み部内に入る突起部が設けられるとともに、前記凹み部の内表面と突起部の外表面との間に、前記フレキソ版の圧縮時の歪みを吸収する歪吸収空隙部を形成したことを特徴としている。
【００１２】
また請求項３では、前記凹み部は、前記フレキソ版の前記ボルト挿通孔の周方向両側に設けられることを特徴としている。
【００１３】
また請求項４は、請求項１〜３の何れかに記載のフレキソ版の固定構造を用いた固定方法であって、前記ボルト金具の締め付けトルクを制御することにより、前記第１、第２の狭持面間で前記フレキソ版を所定の締め付け圧力で狭持させることを特徴としている。
【００１４】
なお本明細書において、「周方向」とは、前記円筒状の版胴の周方向に対応する方向、「軸心方向」とは、前記版胴の軸心方向に対応する方向、又「半径方向」とは、前記版胴の半径方向に対応する方向、をそれぞれ意味している。
【発明の効果】
【００１５】
本発明に係わる把持具は、ボルト金具の螺入により、第１、第２の狭持面間の間隔を調整可能に構成されている。従って、フレキソ版の厚さが変化した場合にも、フレキソ版への締め付け圧力を最適範囲に調整することが可能となり、締め付け不足による引き抜けの発生、或いは締め付け過剰によるフレキソ版の損傷の発生を抑制することができる。なお第１、第２の狭持面間の間隔の調整は、前記ボルト金具への締め付けトルクの規制によって行うことが好ましく、これにより締め付け圧力（狭圧力）、ひいては引き抜け抗力を最適範囲で安定して管理することが可能になる。
【００１６】
又本発明では、フレキソ版に、第１の狭持面の周方向外端縁を超えて外方側にはみ出すはみ出し部を設けている。このはみ出し部は、圧縮されないため狭持部分に比して厚さが大である。従って、引き抜きに対して、このはみ出し部の厚さが抵抗となって引き抜き抑制効果を高めることができる。なおフレキソ版に前記はみ出し部を形成するためには、フレキソ版に、少なくとも位置決めピンが貫通する位置決め孔と、ネジ軸部が貫通するボルト挿通孔とを設けてフレキソ版の外端側を延長させる必要がある。
【図面の簡単な説明】
【００１７】
【図１】本発明のフレキソ版の固定構造を用いたフレキソ印刷の一使用態様を示す概念図である。
【図２】フレキソ版が固定された版胴を示す斜視図である。
【図３】その主要部を拡大して示す斜視図である。
【図４】フレキソ版の固定構造を示す断面図である。
【図５】歪吸収空隙部によるフレキソ版の圧縮時における歪みの吸収を示す断面図である。
【図６】従来のフレキソ版の固定構造を示す断面図である。
【発明を実施するための形態】
【００１８】
以下、本発明の実施の形態について、詳細に説明する。
図１は、本発明のフレキソ版の固定構造を用いたフレキソ印刷の一使用態様を示す概念図であり、回転可能に支持される円筒状の版胴２の外周面２Ｓに、フレキソ版Ｗが巻き付けられる。このフレキソ版Ｗは、その周方向Ｆｘの少なくとも一方の外端部、本例では両外端部Ｗｅが、それぞれ前記版胴２に取り付く把持具３によって狭持される。なお、図中の符号５はインクパンであって、このインクパン５内のインクは、インク出しローラ６、アニロックスローラ７などを介して、前記フレキソ版Ｗに供給された後、被印刷体８に印刷される。
【００１９】
図２に示すように、前記版胴２の外周面２Ｓには、軸心方向Ｆｙにのびる溝状の取付け凹部９、９が形成されるとともに、各前記取付け凹部９に、把持具３が配される。本例では、一方の把持具３は、取付け凹部９に固定されるとともに、他方の把持具３は、取付け凹部９に、案内ガイド等（図示しない。）を介して周方向Ｆｘに移動可能に取り付けられる。又この移動可能な把持具３には、前記フレキソ版Ｗに張力を付与する例えばシリンダ１０Ａなどからなる張力付与手段１０が接続される。
【００２０】
次に、図３に移動可能な把持具３が代表して示される。同図に示すように、把持具３は、前記取付け凹部９に取り付けられるバイス本体１１と、このバイス本体１１の半径方向Ｆｚ外側にフレキソ版Ｗを介して配されるブラケット１２と、複数のボルト金具１３とを具える。
【００２１】
前記バイス本体１１は、図４に示すように、取付け凹部９の底面９Ｓに沿って軸心方向Ｆｙにのびる、例えば断面矩形状の板体からなり、その周方向Ｆｘ外端側には、前記シリンダ１０Ａのロッド端が連結される。又前記バイス本体１１の外面は、前記フレキソ版Ｗの内周面ＷＳｉを受ける第１の狭持面１４として形成されるとともに、この第１の狭持面１４上には、フレキソ版Ｗを位置決めする複数の位置決めピン１５が突出している。又バイス本体１１には、各前記ボルト金具１３を螺入させる複数のネジ孔１６が、例えば位置決めピン１５よりも周方向外方側に配される。本例では、前記位置決めピン１５が例えば２５０ｍｍピッチで、又ネジ孔１６が５０ｍｍピッチで、それぞれ軸心方向Ｆｙに配列する場合が示される。
【００２２】
次に、前記ブラケット１２は、前記バイス本体１１に沿って軸心方向Ｆｙにのびる板体からなり、その内面が、前記フレキソ版Ｗの外周面ＷＳｏを受ける第２の狭持面１７として形成される。前記ブラケット１２には、前記ボルト金具１３のネジ軸部１３ｂが半径方向Ｆｚに通るボルト挿通孔１８が形成されるとともに、本例では、このボルト挿通孔１８の外側には、ボルト金具１３の頭部１３ａを収容する頭部収容部１９が連設される。
【００２３】
又前記ブラケット１２は、周方向Ｆｘのコーナのうち回転方向前側のコーナには、回転方向前方に向かって高さが減じる向きに傾斜する斜面２０が形成される。この斜面２０は、回転時の前記アニロックスローラ７との接触、及び被印刷体８との接触を円滑化するのに役立つ。なお図中の符号２１は、前記位置決めピン１５が通る挿通孔である。
【００２４】
前記ボルト金具１３は、前記ブラケット１２のボルト挿通孔１８を通って半径方向内方にのびるネジ軸部１３ｂを有する。そしてこのネジ軸部１３ｂが、バイス本体１１に設ける前記ネジ孔１６に螺入することにより、前記第１、第２の狭持面１４、１７間の間隔Ｄを調整しうるとともに、この第１、第２の狭持面１４、１７間で前記フレキソ版Ｗを圧縮させて狭持しうる。
【００２５】
次に、前記フレキソ版Ｗは、樹脂、ゴム等の高弾性材から形成される柔軟なシート状をなす。前記フレキソ版Ｗの周方向の外端部Ｗｅには、前記位置決めピン１５が貫通して通る位置決め孔２２と、前記ネジ軸部１３ｂが貫通して通るボルト挿通孔２３とが設けられる。又前記フレキソ版Ｗには、前記第１の狭持面１４の周方向後端縁１４Ｅを超えて周方向後方側にはみ出さすはみ出し部２４が形成される。
【００２６】
このような固定構造では、ボルト金具１３のネジ孔１６への螺入によって、第１、第２の狭持面１４、１７間の間隔Ｄを調整することができる。従って、フレキソ版Ｗの厚さｔが変化した場合にも、フレキソ版Ｗへの締め付け圧力を最適範囲に調整することが可能となり、締め付け不足による引き抜けの発生、或いは締め付け過剰によるフレキソ版Ｗの損傷の発生を抑制することができる。なお第１、第２の狭持面１４、１７間の間隔Ｄの調整は、前記ボルト金具１３への締め付けトルクを規制することで行うのが好ましく、これにより締め付け圧力（狭圧力）、ひいては引き抜け抗力を最適範囲で管理することが可能になる。
【００２７】
前記フレキソ版Ｗに形成されるはみ出し部２４は、圧縮されないため、ブラケット１２下の狭持部分との間に厚さの差が段差状に現れる。従って、この段差状の厚さの差が引き抜きに対する抵抗となって引き抜き抑制効果をさらに高めることができる。なおフレキソ版Ｗに前記はみ出し部２４を形成するためには、フレキソ版Ｗに、少なくとも位置決め孔２２及びボルト挿通孔２３を設けてフレキソ版Wの外端側を延長させる必要がある。
【００２８】
又本例では、前記フレキソ版Ｗの外周面ＷＳｏに、複数の凹み部２５が設けられるとともに、前記ブラケット１２の第２の狭持面１７には、各前記凹み部２５内に入る突起部２６が突設される。前記複数の凹み部２５及び突起部２６は、それぞれ軸心方向Ｆｙに沿って等間隔で隔設される。本例では、前記凹み部２５が、前記ボルト挿通孔２３の周方向両側に形成される場合が例示される。なお凹み部２５及び突起部２６は、その断面形状を、半径方向内側を短辺とした台形形状とするのが、把持具３の組立て作業性を高める上で好ましい。
【００２９】
このような凹み部２５と突起部２６とは、フレキソ版Ｗの引き抜き防止用のストッパとして機能する。
【００３０】
又図５に示すように、前記凹み部２５の内表面２５Ｓと突起部２６の外表面２６Ｓとの間には、前記フレキソ版Ｗの圧縮時の歪みを吸収するための歪吸収空隙部Ｇが形成される。この歪吸収空隙部Ｇの圧縮前における間隙量ｇは０．１〜０．５ｍｍであるのが好ましく、０．１ｍｍ未満では歪吸収効果が不十分となり、逆に０．５ｍｍを超えるとストッパが機能するまでのフレキソ版Ｗのズレ量が過大となってしまう。又前記凹み部２５の圧縮前における深さ２５ｈは、フレキソ版Ｗの厚さｔの１５〜３０％であるのが好ましく、１５％未満では歪吸収効果が不十分となり、３０％を超えると、フレキソ版Ｗの強度が低下する恐れを招く。
【００３１】
次に、前記固定構造を用いた前記フレキソ版の固定方法では、前記ボルト金具１３の締め付けトルクを制御することにより、前記第１、第２の狭持面１４、１７間でのフレキソ版Ｗを所定の締め付け圧力で狭持させる。これにより、フレキソ版Ｗの厚さｔが変化した場合にも、締め付け不足による引き抜けの発生、或いは締め付け過剰によるフレキソ版Ｗの損傷発生を抑制することができる。
【００３２】
以上、本発明の特に好ましい実施形態について詳述したが、本発明は図示の実施形態に限定されることなく、種々の態様に変形して実施しうる。
【実施例】
【００３３】
本発明の効果を確認するため、図３〜４に示す構造の把持具３を表１の仕様に基づき試作し、該把持具３にフレキソ版Ｗを取り付けた時の、周方向Ｆｘへの耐引き抜き力Ｆ０を計算により求めた。
【００３４】
なおブラケット１２における第２の狭持面１７のサイズは、周方向巾Ｗx（＝３５mm）、軸心方向長さＷy（＝１５６０mm）であった。又ボルト金具１３としては、１．８Ｔ系列のＭ５のネジを５０ｍｍ間隔で１６本（＝ｎ）使用した。各ボルト金具１３は、標準締め付けトルクＴ（５．４Ｎ・ｍ）にて使用し、その時の軸力Ｆｆは４１５０Ｎであった。
【００３５】
従って、フレキソ版Ｗへの締め付け力Ｆp（＝Ｆf × ｎ）は６６４００Ｎであり、又締め付け圧力Ｐ（＝Ｆf × ｎ ／（Ｗx×Ｗy））は１．２２ＭＰａである。
【００３６】
又厚さｔが１．８ｍｍ、ヤング率Ｅが７．０ＭＰａのフレキソ版Ｗに、前記締め付け圧力Ｐを適用した場合、フレキソ版Ｗの圧縮歪みε（＝Ｐ／Ｅ）は０．１７となる。即ちフレキソ版Ｗは、０．３ｍｍ（＝１．８×０．１７）だけ圧縮されて狭持されることになる。又、前記フレキソ版Ｗの耐引き抜き力Ｆ０（＝Ｆｐ×μ）は、フレキソ版Ｗの摩擦力μを０．５５とした場合、Ｆ０＝３６５２０Ｎとなる。この耐引き抜き力Ｆ０は、フレキソ版Ｗの厚さバラツキには影響しない。なお実際には、フレキソ版Ｗのはみ出し部２４による抵抗がさらに加算されるため、実際の耐引き抜き力より大きな値となる。
【００３７】
これに対して、印刷時にフレキソ版Ｗに作用する剪断力によって生じる引き抜き方向の力は、最大で１１６０９Ｎ程度であり、従ってフレキソ版Ｗの位置ズレを確実に抑制しうるのが確認できる。
【００３８】
なおボルト金具１３において、標準締め付けトルクＴと軸力Ｆｆとは比例の関係がある。従って、前記標準締め付けトルクＴを制御することで、耐引き抜き力Ｆ０を容易に調整することができる。
【００３９】
【表１】
2013223992.tif 000003
【符号の説明】
【００４０】
２     版胴
２Ｓ   外周面
３     把持具
９     取付け凹部
１１   バイス本体
１２   ブラケット
１３   ボルト金具
１３ｂ ネジ軸部
１４   第１の狭持面
１５   位置決めピン
１６   ネジ孔
１７   第２の狭持面
２２   位置決め孔
２３   ボルト挿通孔
２５   はみ出し部
２６   凹み部
２７   突起部
Ｄ     間隔
Ｇ     歪吸収空隙部
Ｗ     フレキソ版
ＷＥ   外端部
【図１】
2013223992.tif 000004
【図２】
2013223992.tif 000005
【図３】
2013223992.tif 000006
【図４】
2013223992.tif 000007
【図５】
2013223992.tif 000008
【図６】
2013223992.tif 000009